(57)【要約】【課題】ローミング料金の負担をかけることなく、基地局の設置コスト、電力コスト、保守コストを削減することを課題とする。【解決手段】複数の事業者のネットワークに接続可能な基地局であることを報知するための報知情報を送信する。そして、報知情報を受信した移動端末から、移動端末が契約中の事業者を識別する事業者コードが含まれた情報を受信し、受信した事業者コードの事業者のネットワークと移動端末との間の接続を確立する。その後、移動端末との間で接続が確立された事業者のネットワークに対して、移動端末の位置を登録するための位置登録を要求する。【選択図】図１
2010268320.tif 000002
【特許請求の範囲】
【請求項１】
複数の事業者のネットワークに接続可能な基地局であることを報知するための報知情報を送信する報知情報送信部と、
前記報知情報送信部によって送信された報知情報を受信した移動端末から、当該移動端末が契約中の事業者を識別する事業者コードが含まれた情報を受信し、受信した事業者コードの事業者のネットワークと前記移動端末との間の接続を確立するコネクション確立部と、
前記コネクション確立部によって移動端末との間で接続が確立された事業者のネットワークに対して、前記移動端末の位置を登録するための位置登録を要求する位置登録要求部と、
を有することを特徴とする基地局。
【請求項２】
前記報知情報送信部は、全ての事業者に共通の共通コードを含む報知情報を移動端末に対して送信することを特徴とする請求項１に記載の基地局。
【請求項３】
前記報知情報送信部は、接続可能な各事業者の事業者コードを列挙した報知情報を移動端末に対して送信することを特徴とする請求項１に記載の基地局。
【請求項４】
位置登録の要求先の事業者のネットワークから払い出された端末識別コードを受信した場合に、受信した端末識別コードに対応する対応コードを生成する対応コード生成部と、
移動端末から事業者のネットワークに対して中継すべき情報を受信した場合には、受信した情報に含まれている対応コードを対応する端末識別コードに変換して、受信した情報を事業者のネットワークに中継し、事業者のネットワークから移動端末に対して中継すべき情報を受信した場合には、受信した情報に含まれている端末識別コードを対応する対応コードに変換して、受信した情報を移動端末に中継する情報中継部をさらに有することを特徴とする請求項１に記載の基地局。
【請求項５】
複数の事業者のネットワークに接続可能な基地局であることを報知するための報知情報を送信する報知情報送信ステップと、
前記報知情報送信ステップによって送信された報知情報を受信した移動端末から、当該移動端末が契約中の事業者を識別する事業者コードが含まれた情報を受信し、受信した事業者コードの事業者のネットワークと前記移動端末との間の接続を確立するコネクション確立ステップと、
前記コネクション確立ステップによって移動端末との間で接続が確立された事業者のネットワークに対して、前記移動端末の位置を登録するための位置登録を要求する位置登録要求ステップと、
を含むことを特徴とする通信処理方法。
【発明の詳細な説明】
【技術分野】
【０００１】
移動端末にモバイル通信サービスを提供するための基地局および通信処理方法に関する。
【背景技術】
【０００２】
従来より、移動端末のユーザに対して、モバイル通信サービスを提供するための通信システムがある。この通信システムは、図１１に示すように、無線制御装置（ＲＮＣ）を含む事業者のネットワークと、移動端末と、基地局とを有し、基地局が事業者のネットワークと、移動端末との間の通信を中継することで、モバイル通信サービスを提供している。
【０００３】
具体的には、基地局は、図１２に示すように、基地局があることを報知するための報知情報（図１３参照）を移動端末に対して中継する。そして、基地局は、報知情報に対する応答として、移動端末から受信したシグナリング用コネクション要求（RRC ConnectionRequest）を事業者のネットワークに中継する。これに続いて、基地局は、固有の制御チャネルなどの無線リソースを移動端末に割り当て、移動端末と、事業者のネットワークとの間のシグナリング用コネクション、いわゆるＲＲＣコネクションを確立する。ＲＲＣコネクションを確立すると、基地局は、移動端末がどの基地局の無線ゾーン内に位置するかを登録するための位置登録要求を移動端末から受信して事業者のネットワークに中継する。そして、基地局は、位置登録を実行した事業者のネットワークから移動端末に対して払い出される端末識別コードを用いて、呼制御などの無線通信処理を行う。
【０００４】
このようなモバイル通信では、近年、地下室や、高層階などの移動端末の電波不感地帯をカバーするためのフェムトセル基地局が注目されている。フェムトセル基地局は、図１４に示すように、事業者ごとに同一の電波不感地帯に設置され、事業者のネットワークと、その事業者と契約中のユーザの移動端末との間の通信を中継する。
【０００５】
また、フェムトセル基地局は、図１５および図１６に示すように、他の事業者のネットワークと、その事業者と契約中のユーザの移動端末との間の通信を中継するというローミングサービスを行うこともある。
【先行技術文献】
【特許文献】
【０００６】
【特許文献１】特開２００４−３１２０８８号公報
【特許文献２】特開２００６−５８２４号公報
【発明の概要】
【発明が解決しようとする課題】
【０００７】
ところで、上記した従来のフェムトセル基地局には、基地局の設置コスト、電力コスト、保守コストに無駄がある、事業者、もしくは、ユーザにローミング料金の負担がかかるという課題がある。すなわち、同一の電波不感地帯において、各事業者が各々の基地局を設置するので、基地局の設置コスト、電力コスト、保守コストに無駄がある。また、ローミング技術を利用した場合には、基地局の設置コスト、電力コスト、保守コストの無駄を省くことはできるが、事業者、もしくは、移動端末のユーザにローミング料金の負担がかかる。
【０００８】
なお、端末間の通信を中継するだけのルータ（例えば、特許文献１および２参照）は、そもそも無線通信処理を行うことができないので、モバイル通信には適用できない。
【０００９】
そこで、開示の技術は、上述した従来技術の課題を解決するためになされたものであり、ローミング料金の負担をかけることなく、基地局の設置コスト、電力コスト、保守コストを削減することが可能な基地局および通信処理方法を提供することを目的とする。
【課題を解決するための手段】
【００１０】
開示の基地局は、複数の事業者のネットワークに接続可能な基地局であることを報知するための報知情報を送信する報知情報送信部と、前記報知情報送信部によって送信された報知情報を受信した移動端末から、当該移動端末が契約中の事業者を識別する事業者コードが含まれた情報を受信し、受信した事業者コードの事業者のネットワークと前記移動端末との間の接続を確立するコネクション確立部と、前記コネクション確立部によって移動端末との間で接続が確立された事業者のネットワークに対して、前記移動端末の位置を登録するための位置登録を要求する位置登録要求部とを有する。
【発明の効果】
【００１１】
開示の基地局によれば、ローミング料金の負担をかけることなく、基地局の設置コスト、電力コスト、保守コストを削減することが可能である。
【図面の簡単な説明】
【００１２】
【図１】図１は、実施例に係る通信システムの概要を説明するための図である。
【図２】図２は、ＩＭＳＩのフォーマットを説明するための図である。
【図３】図３は、ＴＭＳＩおよび専用ＴＭＳＩを説明するための図である。
【図４】図４は、通信システムの構成を示すブロック図である。
【図５】図５は、管理テーブルに記憶される情報の一例を示した図である。
【図６】図６は、報知情報のフォーマットを説明するための図である。
【図７】図７は、基地局による位置登録処理の流れを示すフローチャート図である。
【図８】図８は、移動端末による位置登録処理の流れを示すフローチャート図である。
【図９】図９は、各事業者のネットワークによる位置登録処理の流れを示すフローチャート図である。
【図１０】図１０は、基地局、移動端末および各事業者のネットワークによる位置登録処理の流れを示すシーケンス図である。
【図１１】図１１は、従来技術を説明するための図である。
【図１２】図１２は、従来技術を説明するための図である。
【図１３】図１３は、従来技術を説明するための図である。
【図１４】図１４は、従来技術を説明するための図である。
【図１５】図１５は、従来技術を説明するための図である。
【図１６】図１６は、従来技術を説明するための図である。
【発明を実施するための形態】
【００１３】
以下に、基地局および通信処理方法の一実施形態を説明する。なお、以下の実施例では、本願の開示する基地局の一実施形態として、本願の開示する基地局を含む通信システムを例に挙げて説明する。
【実施例】
【００１４】
図１は、実施例に係る通信システムの概要を説明するための図である。実施例に係る通信システムは、移動端末のユーザに通信サービスを提供することを概要とする。そして、実施例に係る通信システムは、特に、ローミング料金の負担をかけることなく、基地局の設置コスト、電力コスト、保守コストを削減する。
【００１５】
すなわち、実施例に係る通信システムの基地局は、例えば、移動端末の電波不感地帯に設置されるフェムト基地局であり、図１に示すように、複数の事業者のネットワークに接続される。この基地局は、複数の事業者のネットワークに接続可能な基地局であることを報知するための報知情報を移動端末に対して送信する。その後、基地局は、報知情報に対する応答として、移動端末から、ユーザが契約中の事業者を識別する事業者コードを含む情報（シグナリング用コネクション要求など）を受信する。ここで、基地局は、受信した事業者コードの事業者のネットワークと、移動端末との間の接続（シグナリング用コネクションなど）を確立し、接続を確立した事業者のネットワークに対して、移動端末の位置を登録するための位置登録を要求する。
【００１６】
その後、基地局は、位置登録を実行した事業者のネットワークから移動端末に対して払い出される移動端末を識別する端末識別コードと、位置登録を実行した事業者の事業者コードとを対応付けて記憶部に格納する。そして、基地局は、記憶部に記憶されている端末識別コードを用いて、呼制御などの無線通信処理を行う。例えば、基地局は、移動端末から発信の要求を受信すると、発信の要求に含まれる端末識別コードを用いてユーザが契約中の事業者を特定し、その事業者のネットワークに発信の要求を中継する。
【００１７】
このように、実施例に係る通信システムの基地局は、移動端末のユーザが契約中の事業者を特定して、その事業者のネットワークに位置登録を要求する。そのため、同一の電波不感地帯に各事業者が各々の基地局を設置する必要がなくなり、基地局の設置コスト、電力コスト、保守コストを削減することが可能である。また、実施例に係る通信システムの基地局は、ユーザが契約中の事業者のネットワークに移動端末から受信した情報を直接中継するので、事業者や、ユーザにローミング料金の負担をかけることなく通信サービスを提供することが可能である。
【００１８】
［実施例で用いる主要な用語］
図２は、ＩＭＳＩのフォーマットを説明するための図である。ＩＭＳＩ（International Mobile Subscriber Identity）とは、移動端末、移動端末のユーザ、およびユーザが契約中の事業者を識別する情報である。ＩＭＳＩは、例えば、図２に示すように、事業者を識別するための事業者コードであるＭＣＣ（Mobile Country Code）、ＭＮＣ（Mobile Network Code）を含む。そして、ＩＭＳＩは、移動端末、移動端末のユーザを識別するＭＳＩＮ（Mobile Subscriber Identification Number）をさらに含む。なお、以下に記載する事業者コードとは、ＭＣＣ、およびＭＮＣを意味する。
【００１９】
図３は、ＴＭＳＩおよび専用ＴＭＳＩを説明するための図である。ＴＭＳＩ（Temporary Mobile Subscriber Identity）とは、移動端末、移動端末のユーザを識別するために、ＭＳＩＮの代わりに事業者から払い出される情報である。例えば、ＴＭＳＩは、図３に示すように、４オクテット、つまり３２ビットの値であり、移動端末の位置を管理するためのＶＬＲ（Visitor Location Register）に設定される情報である。また、ＴＭＳＩは、移動端末から事業者のネットワークに中継される際に、基地局によって専用ＴＭＳＩから変換される情報である。
【００２０】
専用ＴＭＳＩとは、移動端末、移動端末のユーザを識別するために、基地局によって一時的に各移動端末に付与される情報である。また、図３に示すように、事業者のネットワークから移動端末に中継される際に、基地局によってＴＭＳＩから変換される情報である。
【００２１】
［通信システムの構成］
（基地局１０）
図４は、通信システムの構成を示すブロック図である。図４に示すように、基地局１０は、情報記憶部１１、管理テーブル記憶部１２、基地局無線機能部１３、基地局有線機能部１４、報知情報生成部１５、ＩＭＳＩ／ＴＭＳＩ処理部１６、接続先判定部１７、および基地局制御部１８を有する。
【００２２】
情報記憶部１１は、接続可能な各事業者を識別する事業者コードを記憶する。例えば、情報記憶部１１は、図４に示した通信システムの構成では、事業者Ａ、事業者Ｂ、事業者Ｃ、事業者Ｄの事業者コードを記憶する。なお、事業者コードは、各事業者のネットワークから受信した報知情報を終端して格納するようにしてもよいし、基地局１０を設置したときに格納しておくようにしてもよい。
【００２３】
図５は、管理テーブルに記憶される情報の一例を示した図である。管理テーブル記憶部１２は、ＴＭＳＩと、専用ＴＭＳＩとを対応付けた管理テーブルを記憶する。具体的には、管理テーブル記憶部１２は、図５に示すように、各移動端末２０ごとに、ＭＳＩＮ、ＴＭＳＩ、専用ＴＭＳＩおよび契約中の事業者コードを対応付けて記憶する。
【００２４】
基地局無線機能部１３は、移動端末２０との間で無線通信を行う。基地局有線機能部１４は、各事業者のネットワークとの間で有線通信を行う。
【００２５】
報知情報生成部１５は、複数の事業者のネットワークに接続可能な基地局であることを報知するための報知情報を生成し、移動端末２０に対して生成した報知情報を送信する。具体的には、報知情報生成部１５は、各事業者のＲＮＣから報知情報を受信するごとに、受信した報知情報に含まれている事業者コードを情報記憶部１１に格納することで、接続可能な全ての事業者の事業者コードを登録する。そして、報知情報生成部１５は、任意のタイミングで、報知情報を生成する。
【００２６】
図６は、報知情報のフォーマットを説明するための図である。報知情報（ＢＣＣＨ：Broadcast Control Channel）は、図６に示すように、ＭＩＢ（Master Information Block）、およびＳＩＢ（System Information Block）と呼ばれるブロックを有する。ＭＩＢは、事業者コードを格納するためのＰＬＭＮ（Public Land Mobile Network）  Ｉｄｅｎｔｉｔｙと呼ばれるブロックを有する。
【００２７】
報知情報生成部１５は、ＰＬＭＮ  Ｉｄｅｎｔｉｔｙに、全ての事業者に共通の共通コードを含む報知情報（図６の（Ａ）参照）、もしくは、全ての事業者コードを列挙した報知情報（図６の（Ｂ）参照）を生成し、移動端末２０に送信する。
【００２８】
ＩＭＳＩ／ＴＭＳＩ処理部１６は、移動端末２０からRRC Connection Requestを受信すると、受信したRRC ConnectionRequestから、ＩＭＳＩを抽出する。RRC ConnectionRequestとは、シグナリング用コネクション要求ともいい、移動端末２０が単独で利用できる無線リソースの割り当てを事業者のネットワークに要求するための信号である。また、ＩＭＳＩ／ＴＭＳＩ処理部１６は、事業者のネットワークからAttach Acceptを受信すると、Attach AcceptからＴＭＳＩを抽出し、抽出したＴＭＳＩに対応する専用ＴＭＳＩを生成する。Attach Acceptとは、位置登録が完了したことを移動端末２０に通知するための信号である。
【００２９】
専用ＴＭＳＩを生成した後、ＩＭＳＩ／ＴＭＳＩ処理部１６は、ＩＭＳＩに対応付けて、抽出したＴＭＳＩと、生成した専用ＴＭＳＩとを管理テーブルに格納する。そして、ＩＭＳＩ／ＴＭＳＩ処理部１６は、生成した専用ＴＭＳＩを含むAttach Acceptを移動端末２０に対して送信する。
【００３０】
接続先判定部１７は、ＩＭＳＩに含まれる事業者コードにより、ユーザが契約中の事業者を特定する。これに続いて、接続先判定部１７は、特定した事業者の事業者コードと、ＭＳＩＮとを対応付けて、管理テーブルに格納する。そして、接続先判定部１７は、特定した事業者のネットワークにRRC Connection Requestを中継する。例えば、接続先判定部１７は、ＩＭＳＩに事業者Ａの事業者コードが含まれていた場合には、事業者ＡのネットワークにRRC Connection Requestを中継する。
【００３１】
また、接続先判定部１７は、移動端末２０から位置登録要求（Attach Request）を受信すると、Attach RequestからＭＳＩＮを抽出し、抽出したＭＳＩＮに対応する事業者コードを情報記憶部１１から読み出す。そして、接続先判定部１７は、読み出した事業者コードに対応するネットワークにAttach Requestを中継する。
【００３２】
基地局制御部１８は、基地局１０による各種処理を制御する。具体的には、基地局制御部１８は、事業者のネットワークからRRC Connection Setupを受信すると、RRC Connection Requestの送信元の移動端末２０に対してRRC Connection Setupをそのまま中継する。RRC Connection Setupとは、無線リソースの割り当てが完了したことを移動端末２０に通知するための情報である。
【００３３】
また、基地局制御部１８は、移動端末２０からRRC Connection Setup Completeを受信すると、RRC Connection Setupの送信元の事業者のネットワークに対してRRC Connection Setup Completeをそのまま中継する。また、基地局制御部１８は、Attach Acceptの送信後、任意のタイミングで、RRC ConnectionReleaseをRRC Connection Requestの送信元の移動端末２０に対して送信する。
【００３４】
また、基地局制御部１８は、移動端末２０から通信サービスに関する情報を受信した場合に、移動端末２０の端末識別コードに対応する事業者コードを管理テーブルから読み出し、読み出した事業者コードの事業者のネットワークに受信した情報を中継する。具体的には、基地局制御部１８は、移動端末から発信の要求を受信すると、管理テーブルを参照して、移動端末２０から受信した発信の要求に含まれる専用ＴＭＳＩを、ＴＭＳＩに変換し、対応する事業者コードの事業者のネットワークに受信した情報を中継する。また、基地局制御部１８は、事業者のネットワークから移動端末に中継すべき情報を受信すると、受信した情報に含まれるＴＭＳＩを、専用ＴＭＳＩに変換して中継する。
【００３５】
（移動端末２０）
図２に示すように、移動端末２０は、加入者情報記憶部２１、端末無線機能部２２、報知情報判定部２３、および端末制御部２４を有する。
【００３６】
加入者情報記憶部２１、ユーザ、移動端末２０、およびユーザが契約中の事業者に関する種々の情報を記憶する。端末無線機能部２２は、基地局１０との間で、無線通信を行う。
【００３７】
報知情報判定部２３は、基地局１０から報知情報を受信すると、報知情報の送信元の基地局１０を経由して接続可能であるか否かを判定する。例えば、報知情報判定部２３は、報知情報に共通コードが含まれている場合には、接続可能であると判定する。
【００３８】
また、報知情報判定部２３は、報知情報にユーザが契約中の事業者の事業者コードが含まれている場合にも、接続可能であると判定する。一方では、報知情報判定部２３は、報知情報にユーザが契約中の事業者の事業者コードが含まれていない場合には、接続不能であると判定する。ここで、報知情報判定部２３は、接続可能であると判定すると、加入者情報記憶部２１からＩＭＳＩを読み出す。そして、報知情報判定部２３は、読み出したＩＭＳＩを含むRRC Connection Requestを基地局１０に対して送信する。
【００３９】
端末制御部２４は、移動端末２０による各種処理を制御する。具体的には、端末制御部２４は、基地局１０からRRC Connection Setupを受信すると、RRC Connection Setupの送信元の基地局１０に対してRRC Connection Setup Completeを送信する。また、端末制御部２４は、RRC Connection Setup Completeの送信後、任意のタイミングでAttach Requestを送信する。
【００４０】
また、端末制御部２４は、基地局１０からAttach Acceptを受信すると、受信したAttach Acceptから、専用ＴＭＳＩを抽出する。そして、端末制御部２４は、抽出した専用ＴＭＳＩを加入者情報記憶部２１に格納する。また、端末制御部２４は、基地局１０からRRC ConnectionReleaseを受信すると、RRC Connection Releaseの送信元の基地局１０に対してRRC ConnectionRelease Completeを送信する。
【００４１】
また、端末制御部２４は、通信サービスを受ける場合には、専用ＴＭＳＩを加入者情報記憶部２１から読み出し、専用ＴＭＳＩを含む情報を基地局１０に対して送信する。具体的には、端末制御部２４は、発信を要求する場合には、専用ＴＭＳＩを含む発信の要求を基地局１０に対して送信する。
【００４２】
（各事業者のネットワーク）
各事業者のネットワークは、無線制御装置（ＲＮＣ：Radio Network Controller）、および通信サービスを提供するサーバを含んで構成されるネットワークであり、移動端末２０の位置登録処理を行い、契約中のユーザに通信サービスを提供する。具体的には、各事業者のネットワークは、RRC ConnectionRequestを受信すると、RRC Connection Requestを中継した基地局１０に対して、RRC Connection Setupを送信する。また、各事業者のネットワークは、Attach Requestを受信すると、Attach Requestに含まれているＩＭＳＩを抽出し、移動端末２０の位置登録処理を行う。これに続いて、各事業者のネットワークは、Attach Requestを中継した基地局１０に対して、ＴＭＳＩを含むAttach Acceptを送信する。
【００４３】
また、各事業者のネットワークは、通信サービスに関する情報を受信すると、受信した情報からＴＭＳＩを抽出して、情報の送信元の移動端末２０を特定する。そして、各事業者のネットワークは、特定した移動端末２０の位置登録が完了している場合には、移動端末２０に対して通信サービスを提供する。具体的には、各事業者のネットワークは、発信の要求を受信すると、着信すべき移動端末を探索し、発信を要求した移動端末と、探索した移動端末との間の通話を開始する。
【００４４】
［通信システムによる処理］
（基地局１０）
図７は、基地局１０による位置登録処理の流れを示すフローチャート図である。図７に示すように、報知情報生成部１５は、報知情報を送信すべきタイミングに到達すると（ステップＳ１０１肯定）、報知情報を生成して、移動端末２０に送信する（ステップＳ１０２）。その後、ＩＭＳＩ／ＴＭＳＩ処理部１６は、移動端末２０から受信したRRC ConnectionRequestから、ＩＭＳＩを抽出する（ステップＳ１０３）。これに続いて、接続先判定部１７は、ＩＭＳＩに含まれる事業者コードにより、ユーザが契約中の事業者を特定する（ステップＳ１０４）。これに続いて、接続先判定部１７は、事業者コードと、ＭＳＩＮと管理テーブルに格納し（ステップＳ１０５）、特定した事業者のネットワークにRRC Connection Requestを中継する（ステップＳ１０６）。
【００４５】
次に、基地局制御部１８は、事業者のネットワークから受信したRRC Connection Setupを、移動端末２０に対して中継し（ステップＳ１０７）、移動端末２０から受信したRRC Connection Setup Completeを事業者のネットワークに対して中継する（ステップＳ１０８）。
【００４６】
その後、接続先判定部１７は、移動端末２０から受信したAttach Requestに含まれているＭＳＩＮに対応する事業者コードを情報記憶部１１から読み出し（ステップＳ１０９）、読み出した事業者コードに対応するネットワークにAttach Requestを中継する（ステップＳ１１０）。
【００４７】
ＩＭＳＩ／ＴＭＳＩ処理部１６は、事業者のネットワークから受信したAttach Acceptに含まれているＴＭＳＩに対応する専用ＴＭＳＩを生成し（ステップＳ１１１）、ＴＭＳＩと、専用ＴＭＳＩとを対応付けて管理テーブルに格納する（ステップＳ１１２）。これに続いて、ＩＭＳＩ／ＴＭＳＩ処理部１６は、専用ＴＭＳＩを含むAttach Acceptを移動端末２０に対して送信する（ステップＳ１１３）。
【００４８】
そして、基地局制御部１８は、任意のタイミングで、RRC Connection Releaseを移動端末２０に対して送信する（ステップＳ１１４）。
【００４９】
（移動端末２０）
図８は、移動端末２０による位置登録処理の流れを示すフローチャート図である。図８に示すように、基地局１０から報知情報を受信すると（ステップＳ２０１肯定）、報知情報の送信元の基地局１０を経由して接続可能であるか否かを判定する（ステップＳ２０２）。ここで、接続可能であると判定すると（ステップＳ２０２肯定）、報知情報判定部２３は、ＩＭＳＩを読み出し（ステップＳ２０３）、読み出したＩＭＳＩを含むRRC Connection Requestを基地局１０に対して送信する（ステップＳ２０４）。
【００５０】
その後、端末制御部２４は、RRC Connection Setupを受信すると（ステップＳ２０５肯定）、RRC Connection Setup Completeを送信し（ステップＳ２０６）、Attach Requestを送信する（ステップＳ２０７）。
【００５１】
そして、端末制御部２４は、基地局１０からAttach Acceptを受信すると（ステップＳ２０８肯定）、Attach Acceptに含まれている専用ＴＭＳＩを加入者情報記憶部２１に格納する（ステップＳ２０９）。そして、端末制御部２４は、基地局１０からRRC ConnectionReleaseを受信すると（ステップＳ２１０肯定）、基地局１０に対してRRC ConnectionRelease Completeを送信する（ステップＳ２１１）。
【００５２】
（各事業者のネットワーク）
図９は、各事業者のネットワークによる位置登録処理の流れを示すフローチャート図である。図９に示すように、各事業者のネットワークは、RRC Connection Requestを受信すると（ステップＳ３０１肯定）、RRC Connection Setupを送信する（ステップＳ３０２）。その後、各事業者のネットワークは、Attach Requestを受信すると（ステップＳ３０３肯定）、移動端末２０の位置登録処理を行い（ステップＳ３０４）、基地局１０に対して、ＴＭＳＩを含むAttach Acceptを送信する（ステップＳ３０５）。
【００５３】
（基地局１０・移動端末２０・各事業者のネットワーク）
図１０は、基地局１０、移動端末２０および各事業者のネットワークによる位置登録処理の流れを示すシーケンス図である。図１０に示すように、基地局１０は、報知情報を生成して（ステップＳ４０１）、移動端末２０に送信する（ステップＳ４０２）。移動端末２０は、報知情報を受信すると、接続可能であるか否かを判定して（ステップＳ４０３）、接続可能である場合には、ＩＭＳＩを読み出し（ステップＳ４０４）、ＩＭＳＩを含むRRC Connection Requestを送信する（ステップＳ４０５）。
【００５４】
基地局１０は、RRC ConnectionRequestを受信すると、ＩＭＳＩを抽出し（ステップＳ４０６）、ＩＭＳＩに含まれる事業者コードよってユーザが契約中の事業者を特定する（ステップＳ４０７）。続いて、基地局１０は、事業者コードと、ＭＳＩＮとを管理テーブルに格納し（ステップＳ４０８）、事業者のネットワークにRRC ConnectionRequestを中継する（ステップＳ４０９）。
【００５５】
事業者のネットワークは、RRC ConnectionRequestを受信すると、基地局１０を介して移動端末２０にRRC Connection Setupを送信する（ステップＳ４１０）。
【００５６】
移動端末２０は、RRC Connection Setupを受信すると、RRC Connection Setup Completeを送信し（ステップＳ４１１）、Attach Requestを送信する（ステップＳ４１２）。
【００５７】
基地局１０は、Attach Requestを受信すると、Attach Requestに含まれているＭＳＩＮに対応する事業者コードを読み出し（ステップＳ４１３）、読み出した事業者コードに対応するネットワークにAttach Requestを中継する（ステップＳ４１４）。
【００５８】
事業者のネットワークは、Attach Requestを受信すると、移動端末２０の位置登録処理を行い（ステップＳ４１５）、ＴＭＳＩを含むAttach Acceptを送信する（ステップＳ４１６）。
【００５９】
基地局１０は、Attach Acceptを受信すると、専用ＴＭＳＩを生成し（ステップＳ４１７）、ＴＭＳＩと、専用ＴＭＳＩとを対応付けて管理テーブルに格納し（ステップＳ４１８）、専用ＴＭＳＩを含むAttach Acceptを移動端末２０に対して送信する（ステップＳ４１９）。移動端末２０は、Attach Acceptを受信すると、専用ＴＭＳＩを加入者情報記憶部２１に格納する（ステップＳ４２０）。
【００６０】
そして、基地局１０は、RRC ConnectionReleaseを送信し（ステップＳ４２１）、移動端末２０は、RRC Connection Release Completeを送信する（ステップＳ４２２）。
【００６１】
［実施例の効果］
以上のように、実施例によれば、移動端末２０のユーザが契約中の事業者を特定して、その事業者のネットワークに位置登録を要求する。そのため、同一の電波不感地帯に各事業者が各々の基地局１０を設置する必要がなくなり、基地局１０の設置コスト、電力コスト、保守コストを削減することが可能である。
【００６２】
また、実施例によれば、ユーザが契約中の事業者のネットワークに移動端末２０から受信した情報を直接中継するので、事業者や、ユーザにローミング料金の負担をかけることなく通信サービスを提供することが可能である。
【００６３】
また、実施例によれば、基地局１０が専用ＴＭＳＩを生成するので、複数の移動端末２０に対して同一のＴＭＳＩが払い出された場合であっても、各移動端末２０を区別することが可能である。
【００６４】
（通信処理方法）
上記の実施例で説明した基地局１０により、以下のような通信処理方法が実現される。
【００６５】
すなわち、複数の事業者のネットワークに接続可能な基地局であることを報知するための報知情報を送信する報知情報送信ステップ（図７のステップＳ１０２参照）と、前記報知情報送信ステップによって送信された報知情報を受信した移動端末から、当該移動端末が契約中の事業者を識別する事業者コードが含まれた情報を受信し、受信した事業者コードの事業者のネットワークと前記移動端末との間の接続を確立するコネクション確立ステップと（図７のステップＳ１０６〜Ｓ１０８参照）、前記コネクション確立ステップによって移動端末との間で接続が確立された事業者のネットワークに対して、前記移動端末の位置を登録するための位置登録を要求する位置登録要求ステップ（図７のステップＳ１１０参照）とを含む通信処理方法が基地局１０によって実現される。
【符号の説明】
【００６６】
１０  基地局
１１  情報記憶部
１２  管理テーブル記憶部
１３  基地局無線機能部
１４  基地局有線機能部
１５  報知情報生成部
１６  ＩＭＳＩ／ＴＭＳＩ処理部
１７  接続先判定部
１８  基地局制御部
２０  移動端末
２１  加入者情報記憶部
２２  端末無線機能部
２３  報知情報判定部
２４  端末制御部
【図１】
2010268320.tif 000003
【図２】
2010268320.tif 000004
【図３】
2010268320.tif 000005
【図４】
2010268320.tif 000006
【図５】
2010268320.tif 000007
【図６】
2010268320.tif 000008
【図７】
2010268320.tif 000009
【図８】
2010268320.tif 000010
【図９】
2010268320.tif 000011
【図１０】
2010268320.tif 000012
【図１１】
2010268320.tif 000013
【図１２】
2010268320.tif 000014
【図１３】
2010268320.tif 000015
【図１４】
2010268320.tif 000016
【図１５】
2010268320.tif 000017
【図１６】
2010268320.tif 000018